(57)【要約】  【課題】誰でも簡単かつ迅速に美しく着ることができる着物を提供する。  【解決手段】本発明にかかる簡易着付け着物は、左右の前身頃と、左右の衽と、後身頃と、衿と、左右の袖とを備え、左右の前身頃と左右の衽と後身頃とに、布地を所定幅つまんで縫合してなるおはしょりが形成され、右前身頃と右衽と衿の右側部の少なくともいずれか１つに、右腰ひもが取り付けられ、左前身頃と左衽と衿の左側部の少なくともいずれか１つに、左腰ひもが取り付けられ、後身頃に前記左右腰ひもを挿通可能なひも通しが設けられており、おはしょりのつまみ幅が、前身頃と衽との裾部分が前身頃から衽にむけて前上がりとなるように、前身頃の脇から衽に向けて大きく形成されているとともに、右腰ひもと左腰ひもとが、着用者の腰回りに巻回可能で、かつ連結可能に形成されていることを特徴とするものである。  【選択図】図１
2005344244.tif 000002
【特許請求の範囲】
【請求項１】
左右の前身頃と、左右の衽と、後身頃と、衿と、左右の袖とを備え、
左右の前身頃と左右の衽と後身頃とに、布地を所定幅つまんで縫合してなるおはしょりが形成され、右前身頃と右衽と衿の右側部の少なくともいずれか１つに、右腰ひもが取り付けられ、左前身頃と左衽と衿の左側部の少なくともいずれか１つに、左腰ひもが取り付けられ、後身頃に前記左右腰ひもを挿通可能なひも通しが設けられており、
おはしょりのつまみ幅が、前身頃と衽との裾部分が前身頃から衽にむけて前上がりとなるように、前身頃の脇から衽に向けて大きく形成されているとともに、
右腰ひもと左腰ひもとが、着用者の腰回りに巻回可能で、かつ連結可能に形成されていることを特徴とする簡易着付け着物。
【請求項２】
前身頃と衽とが縫合されており、おはしょりの下側に位置する縫合線が、おはしょりの上側に位置する縫合線の延長線上に配置されていることを特徴とする請求項１記載の簡易着付け着物。
【請求項３】
左右の前身頃と、左右の衽と、後身頃とが、表地と裏地とを有しており、おはしょりが表地にのみ形成されていることを特徴とする請求項１または２記載の簡易着付け着物。
【請求項４】
ひも通しが、後身頃の幅方向中心線上に設けられていることを特徴とする請求項１から請求項３のいずれかに記載の簡易着付け着物。
【請求項５】
身体の所定部分を測定して、その測定値から裁断寸法を割り出し、その裁断寸法に基づいて、表地となる布地を裁断して、左右の前身頃と左右の衽と後身頃とを形成し、前身頃と衽とを縫合し、前身頃と後身頃とを縫合し、後身頃を所定幅つまむとともに、前身頃の脇から衽に向かうに従ってつまみ幅が大きくなるように前身頃と衽とをつまんでおはしょりを形成し、おはしょりの下側に位置する前身頃と衽との縫合線を、おはしょりの上側に位置する前身頃と衽との縫合線の延長線上に配置した状態でおはしょりを縫合した後に、別個に形成した裏地と綴じ合わせたことを特徴とする簡易着付け着物の製造方法。
【発明の詳細な説明】
【技術分野】
【０００１】
本発明は、誰でも自分自身で簡単かつ迅速に美しく着ることのできる着物に関するものである。
【背景技術】
【０００２】
従来、この種の着物としては、着付けの容易さを重視して、上着とスカートとからなる２部式の着物が開示されている(例えば、特許文献１参照)。しかしながら、２部式の着物は、洋服のように手軽に着用できるものの、上下に分離されているので、着物としての着用感が得られにくい。また、着用中に上着とスカートとの位置がずれて、上下の一体感が失われ、美観に劣る場合がある。さらに、上着とスカートとに布地を裁ってしまうのはもったいないし、本来の着物に再現不可能という問題もある。
また、着付け姿の美しさを重視するために、着物を構成する各部分をそれぞれ別々に縫製して、これらを立体的に一体化縫製したものも開示されている（例えば、特許文献２参照）が、上述した２部式着物と同様に、着物を構成する各部分に布地を裁ってしまうのはもったいないし、本来の着物に再現不可能である。
そこで、着物本来の形を維持しつつ、着付けを容易にすることのできる着物として、あらかじめ後身頃におはしょりを縫合形成するとともに、前身頃、衽、衿のいずれかにウエストひもを取り付け、後身頃に背ひもを取り付けてなる着物が提案されている(例えば、特許文献３参照)。
【特許文献１】実開昭６２−４１０１２号公報
【特許文献２】特開平２−１６９３２８号公報
【特許文献３】特開２００２−１７３８０７号公報
【発明の開示】
【発明が解決しようとする課題】
【０００３】
しかしながら、上記の着物では、前身頃のおはしょりがあらかじめ形成されていないので、着用者自身で前身頃のおはしょりの形を整えなければならない。しかし、この部分は着付けの美しさに大きく影響を与える箇所であるため、体裁よく形を整えるには高度な技術を必要とする。例えば、裾合わせをする作業、ウエストひもをおはしょりの下で腰回りに巻回して前で結ぶ作業、おはしょりを形成した際に折り返されて分厚くなってしまった衿先部分をすっきりと美しく整える作業、さらに、背ひもを背中側から前方に引っ張り、おはしょりの上で固定し、おはしょり全体の形状を整えるとともに、ウエスト周辺のしわを伸ばす作業など、非常に煩雑で技術的に困難な作業を要する。したがって、上記の着物は、従来の着物よりも着付けやすい工夫がされているものの、誰でも簡単かつ迅速に美しく着ることができる着物には至っていないのが現状である。
また、着物は通常、表地と裏地とを綴じ合わせて形成されているため、上記の着物のように、着物を仕立てた後におはしょりを形成すると、おはしょり部分とおはしょりを形成するに伴い折り返される衿先部分とが、非常に分厚くなってしまい、美観に劣るという問題もある。
【課題を解決するための手段】
【０００４】
本発明は、上記問題点に鑑みて提案されたものであって、
本発明にかかる簡易着付け着物は、左右の前身頃と、左右の衽と、後身頃と、衿と、左右の袖とを備え、左右の前身頃と左右の衽と後身頃とに、布地を所定幅つまんで縫合してなるおはしょりが形成され、右前身頃と右衽と衿の右側部の少なくともいずれか１つに、右腰ひもが取り付けられ、左前身頃と左衽と衿の左側部の少なくともいずれか１つに、左腰ひもが取り付けられ、後身頃に前記左右腰ひもを挿通可能なひも通しが設けられており、
おはしょりのつまみ幅が、前身頃と衽との裾部分が前身頃から衽にむけて前上がりとなるように、前身頃の脇から衽に向けて大きく形成されているとともに、右腰ひもと左腰ひもとが、着用者の腰回りに巻回可能で、かつ連結可能に形成されていることを特徴とするものである。
【０００５】
なお、本明細書における「右」または「左」という表現は、本発明にかかる簡易着付け着物を着用したときにおける着用者の右側、左側をそれぞれ示すものとする。
【０００６】
また、本発明にかかる簡易着付け着物は、前身頃と衽とが縫合されており、おはしょりの下側に位置する縫合線が、おはしょりの上側に位置する縫合線の延長線上に配置されていてもよい。
【０００７】
また、本発明にかかる簡易着付け着物は、左右の前身頃と、左右の衽と、後身頃とが、表地と裏地とを有しており、おはしょりが表地にのみ形成されていてもよい。
【０００８】
また、本発明にかかる簡易着付け着物は、ひも通しが、後身頃の幅方向中心線上に設けられていてもよい。
【０００９】
また、本発明にかかる簡易着付け着物の製造方法は、
身体の所定部分を測定して、その測定値から裁断寸法を割り出し、その裁断寸法に基づいて、表地となる布地を裁断して、左右の前身頃と左右の衽と後身頃とを形成し、前身頃と衽とを縫合し、前身頃と後身頃とを縫合し、後身頃を所定幅つまむとともに、前身頃の脇から衽に向かうに従ってつまみ幅が大きくなるように前身頃と衽とをつまんでおはしょりを形成し、おはしょりの下側に位置する前身頃と衽との縫合線を、おはしょりの上側に位置する前身頃と衽との縫合線の延長線上に配置した状態でおはしょりを縫合した後に、別個に形成した裏地と綴じ合わせたことを特徴とするものである。
【発明の効果】
【００１０】
本発明にかかる簡易着付け着物によれば、左右の前身頃と左右の衽と後身頃とに、布地を所定幅つまんで縫合してなるおはしょりが形成され、右前身頃と右衽と衿の右側部の少なくともいずれか１つに右腰ひもが、左前身頃と左衽と衿の左側部の少なくともいずれか１つに左腰ひもが、それぞれ取り付けられ、後身頃に前記左右腰ひもを挿通可能なひも通しが設けられており、おはしょりのつまみ幅が、前身頃と衽との裾部分が前身頃から衽にむけて前上がりとなるように、前身頃の脇から衽に向けて大きく形成されているとともに、右腰ひもと左腰ひもとが、着用者の腰回りに巻回可能で、かつ連結可能に形成されているので、着用者は、着物に袖を通した後、左右の前身頃を打ち合わせ、右腰ひもと左腰ひもとをひも通しに挿通させ、腰回りに巻いて連結するという作業をするだけで、簡単かつ迅速に美しく着物を着ることができる。また、後身頃にひも通しが設けられているので、腰ひもを腰回りに巻回しやすい。さらに、腰ひもと後身頃とが相対的に位置ずれしにくく、着崩れを防止できる。
【００１１】
また、前身頃と衽とが縫合されており、おはしょりの下側に位置する縫合線が、おはしょりの上側に位置する縫合線の延長線上に配置されているものでは、おはしょりの形成に伴う縫合線の位置ずれがないので、着姿の美観に優れる。
【００１２】
また、左右の前身頃と、左右の衽と、後身頃とが、表地と裏地とを有しており、おはしょりが表地にのみ形成されているものでは、表地と裏地との両方をつまんでおはしょりを形成した場合に比べて、おはしょりの厚みを薄くすることができ、着付けたときに腰回りがもたつかず、美観に優れる。また、おはしょりの縫合部が裏地に表れないので、裏地の美観にも優れる。
【００１３】
また、ひも通しが、後身頃の幅方向中心線上に設けられているものでは、腰ひもをひも通しに挿通させて前方に引っ張ることにより、後身頃の幅方向中心線が自然に着用者の背中心線に一致するので、後身頃の幅方向中心線を着用者の背中心線に合わせる作業が不要となり、より簡単かつ迅速に美しく着ることができる。
【００１４】
本発明にかかる簡易着付け着物の製造方法によれば、表地となる布地だけをつまんでおはしょりを形成した後に、別個に形成した裏地と綴じ合わせるので、おはしょり形成時に表地と裏地とが相対的に位置ずれせず、縫合作業が容易となる。
【発明を実施するための最良の形態】
【００１５】
以下、本発明にかかる簡易着付け着物の一実施形態について詳細に説明する。
【００１６】
本実施形態の簡易着付け着物１（以下、単に着物１という）は、表地と裏地とから構成された女性用の着物であり、図１，図２に示すように、左右の前身頃２ａ，２ｂと、左右の衽３ａ，３ｂと、左右の後身頃４ａ，４ｂと、衿５と、左右の袖６ａ，６ｂとを備えている。左右の前身頃２ａ，２ｂと、左右の衽３ａ，３ｂと、左右の後身頃４ａ，４ｂの胴回り部分には、表地のみからなるおはしょり７が形成されている。衿５の左右両端部には、それぞれ左右の腰ひも８ａ，８ｂが取り付けられており、腰ひも８ａ，８ｂを挿通可能なひも通し９が後身頃４ａ，４ｂに取り付けられている。
【００１７】
ここで、着物１の着丈は、着用者の身体の測定値から割り出されており、約１３０ｃｍとなっている。
【００１８】
おはしょり７は、図１，図２に示すように、折り山７００がほぼ水平となるように形成されている。おはしょり７は、後身頃４ａ，４ｂにおいては一定幅に形成されている。前身頃２ａ，２ｂの脇においては、後身頃４ａ，４ｂと同じ幅に形成されており、衽３ａ，３ｂに向かうに従って幅広となるように形成されている。そして、前身頃２ａ，２ｂと衽３ａ，３ｂの裾部１０ａ，１０ｂは、それぞれおはしょりのつまみ幅に対応して、前身頃２ａ，２ｂの脇から衽３ａ，３ｂに向かって前上がりとなっている。
【００１９】
腰ひも８ａ，８ｂは、裏地と同じ布地で構成された幅約７．５ｃｍ、長さ約１１３ｃｍの帯状体で、長手方向一端部が、衿５の左右両側における下端部の裏側に、衿５の長手方向に対してほぼ直角に縫着されている。
【００２０】
ひも通し９は、表地と同じ布地で構成された幅約２．５ｃｍの帯状体の両端部を後身頃４ａ，４ｂに縫着することによりループ状に形成されており、後身頃４ａ，４ｂの縫合線上で、肩山１１から約３５ｃｍ離れた位置に配置されている。
【００２１】
次に、上記の着物１の製造方法について説明する。
まず、着用者の身体の所定部分を測定する。その測定値から裁断寸法を割り出し、その裁断寸法に基づいて、表地となる布地を、前身頃２ａ，２ｂ、衽３ａ，３ｂ、後身頃４ａ，４ｂ、衿５、袖６ａ，６ｂの各パーツに裁断する。
【００２２】
おはしょり７の形成位置を決める。まず、前身頃２ａ，２ｂ、衽３ａ，３ｂ、後身頃４ａ，４ｂについて、おはしょり７の折り山７００の位置を肩山１１から約５３ｃｍの位置に定める。次に、おはしょり７のつまみ幅を定める。後身頃４ａ，４ｂに形成されるおはしょりのつまみ幅Ｗ１は、Ｗ１＝（着物の総丈）−（着用者の着丈）とする。一方、前身頃２ａ，２ｂと衽３ａ，３ｂに形成されるおはしょりのつまみ幅は、前身頃２ａ，２ｂの脇でのつまみ幅Ｗ２を、Ｗ２＝Ｗ１とし、前身頃２ａ，２ｂと衽３ａ，３ｂとの縫着部分でのつまみ幅Ｗ３を、Ｗ３＝Ｗ２＋１．５ｃｍとし、衽３ａ，３ｂの衿取り付け側の端部でのつまみ幅Ｗ４を、Ｗ４＝Ｗ３＋１ｃｍとする。
【００２３】
前記各パーツを縫合する。まず、左の前身頃２ａと左の衽３ａとを縫合し、右の前身頃２ｂと右の衽３ｂも同様に縫合する。次に、左右の後身頃４ａ，４ｂを縫合する。さらに、前身頃２ａと後身頃４ａとを縫合し、前身頃２ｂと後身頃４ｂも同様に縫合する。このとき、前身頃２ａの脇線Ｍ１は、図３に示すように、前身頃２ａの前幅Ｐ１に対して折り山７００部分の幅方向長さＰ２が約８ｍｍ広くなるように、くの字に傾斜させて縫合する。前身頃２ｂの脇線についても、前身頃２ａと同様に縫合する。
【００２４】
次に、おはしょり７を縫合形成する。図３に示すように、折り山７００を山折りにして、前身頃２ａ，２ｂ、衽３ａ，３ｂ、後身頃４ａ，４ｂを所定のつまみ幅Ｗ１〜Ｗ４でつまみ、縫いしろ線７０１，７０２を一致させて縫合する。そして、おはしょり７の下側に位置する前身頃２ａと衽３ａとの縫合線Ｌ１が、おはしょりの上側に位置する前身頃と衽との縫合線Ｌ２の延長線上に配置されるように、おはしょり７の位置を微調整する。最後に、おはしょり７の縫い目の隠し縫いをする。
【００２５】
袖６ａ，６ｂを袖ぐりに縫着する。また、衿５の幅方向一端部を表地の衿ぐりに縫着し、表地と別個に形成した裏地とを綴じ合わせ、その後、衿５の幅方向他端部を裏地側に縫い付ける。
【００２６】
腰ひも８ａ，８ｂを衿５の左右両側における下端部の裏側に、衿５の長手方向に対してほぼ直角に縫着する。ひも通し９を後身頃４ａ，４ｂの幅方向中心線上、つまり後身頃４ａ，４ｂの縫合線上で、肩山から約３５ｃｍ離れた位置に縫着する。
【００２７】
次に、本実施形態の着物１の着用手順について説明する。
まず、着物１を羽織り、袖６ａ，６ｂに左右の腕を通す。右の前身頃２ａを身体に合わせて、右の腰ひも８ａを着物の裏側から左脇の身八つ口１２に挿通させて表側に出し、後身頃４ａ，４ｂ側に回して、ひも通し９に挿通させ、右脇から前方へ引き出す。次に、左の前身頃２ｂを右の前身頃２ａの上に重ね合わせて、左の腰ひも８ｂを右脇から後身頃４ａ，４ｂ側に回して、ひも通し９に挿通させ、左脇から前方へ引き出す。衿元の位置を合わせた後、腰ひも８ａと腰ひも８ｂとを着用者の腹部で結び合わせる。その後、別個に用意した帯を締める。
【００２８】
以上のように、本実施形態の着物１によれば、着用者は、従来の着物を着る場合のように、裾部分の位置決め、おはしょりの形成、衿先の折り返し部分の処理など手間と技術を要する作業をすることなく、簡単かつ迅速に美しく着物を着ることができる。
【００２９】
また、腰ひも８ａ，８ｂが幅広の帯状体で形成されているので、着用者の胸の下から腰の位置までにぴったりと巻きつけることができる。したがって、衿元を押さえ、着崩れを防止できるため、従来の着付けの場合に使用される「伊達ジメ」という着付け道具が不要となり、より一層作業の簡略化を図ることができる。
【００３０】
また、後身頃４ａ，４ｂに腰ひも８ａ，８ｂを挿通可能なひも通し９が設けられているので、腰ひも８ａ，８ｂを腰回りに巻回しやすい。また、腰ひも８ａ，８ｂをひも通し９に挿通させることにより、腰ひもと後身頃とが相対的に位置ずれしにくく、着崩れを防止できる上、後衿が下方に引っ張られ、着用者の首と後衿との間に適度な隙間が得られるため、衿のすきを調整する作業が不要となる。
【００３１】
また、ひも通し９が、後身頃４ａ，４ｂの縫合線上に設けられているので、腰ひも８ａ，８ｂをひも通し９に挿通させて前方に引っ張ることにより、後身頃４ａ，４ｂの縫合線が自然に着用者の背中心に一致する。したがって、後身頃４ａ，４ｂを着用者の背中心に合わせる作業が不要となり、より簡単かつ迅速に美しく着ることができる。
【００３２】
また、おはしょり７の下側に位置する前身頃２ａと衽３ａとの縫合線Ｌ１が、おはしょりの上側に位置する前身頃２ａと衽３ａとの縫合線Ｌ２の延長線上に配置されているので、縫合線Ｌ１，Ｌ２の位置ずれがなく、着姿の美観に優れる。
【００３３】
また、おはしょり７が表地にのみ形成されているので、表地と裏地との両方をつまんでおはしょりを形成した場合に比べて、おはしょりの厚みを薄くすることができ、着付けたときに腰回りがもたつかず、美観に優れる。また、おはしょり７の縫合線が裏地に表れないので、裏地の美観にも優れる。
【００３４】
なお、本実施の形態では、表地と裏地とを備えた着物としたが、これに限られず、一重の着物や浴衣などであってもよい。
【００３５】
また、腰ひも８ａ，８ｂの連結方法は、腰ひも８ａ，８ｂ同士を結ぶことに限定されず、例えば、ホックや面テープなどで連結してもよい。また、腰ひも８ａ，８ｂは、上記実施の形態の形状および材質に限定されるものではないが、腰ひも８ａ，８ｂは、通常の着付けの際に使用される伊達〆（だてじめ）としての役目を果たすものであるので、着用者の腰回りに確実に巻回され、緩まないものであることが必要である。例えば、伸縮性のある布地や平ゴムなどでも構わない。そして、腰ひも８ａ，８ｂの幅は上記の幅寸法より広くても狭くても構わないが、狭すぎると腰回りへの密着面積が少なくなって緩んでしまい、着崩れを起こす恐れがある。また、着用者のウエスト部分にひもが食い込んで不快感が生ずることもあるので、適度に広い幅が必要である。
【００３６】
また、おはしょり７の折り山７００の位置は、上記の位置に限られず、着用者の体型によって適宜変更可能である。つまり、着物１を着用後、帯を締めたときに、帯の下方に折り山７００が体裁よく見える位置に配置されていればよい。
【００３７】
さらに、ひも通し９の位置も、上記の位置に限られず、着用者の体型によって適宜変更可能である。つまり、ひも通し９は、着用者の腰の位置よりもやや上方に配置され、腰ひも８ａ，８ｂをひも通し９に挿通させ、腰回りに巻回したときに、後衿の位置が下方に引き下げられ、着用者の首と後衿との間に適度な隙間が得られる位置に配置されていればよい。
【００３８】
さらに、身長の異なる着用者が着用する場合には、おはしょり７の縫合部分を一旦ほどき、着用者に適した着丈となるように、おはしょりをつまんで縫合し直せばよい。
【図面の簡単な説明】
【００３９】
【図１】本発明にかかる一実施形態の着物１の正面図である。
【図２】図１の着物１の背面図である。
【図３】本実施形態の着物１のおはしょり７の縫合部分を示す説明図である。
【符号の説明】
【００４０】
１        簡易着付け着物
２ａ      左の前身頃
２ｂ      右の前身頃
３ａ      左の衽
３ｂ      右の衽
４ａ      左の後身頃
４ｂ      右の後身頃
５        衿
６ａ      左の袖
６ｂ      右の袖
７        おはしょり
８ａ      右の腰ひも
８ｂ      左の腰ひも
９        ひも通し
１０ａ    左の前身頃２ａと左の衽３ａとの裾部
１０ｂ    右の前身頃２ａと右の衽３ｂとの裾部
Ｗ１〜Ｗ４  つまみ幅
【図１】
2005344244.tif 000003
【図２】
2005344244.tif 000004
【図３】
2005344244.tif 000005